(57)【要約】【課題】デュアルバンドの無線通信機能を備えた電子機器において、３本のアンテナ構成でダイバーシティ方式のアンテナを実現することにより、小型でかつ高性能の電子機器を提供することにある。【解決手段】周波数帯域の異なる無線通信機能を有する電子機器１において、各周波数帯域のそれぞれに適合する２本の送受信用アンテナ２０，２１と、１本の受信専用アンテナ２２と有するダイバーシティ方式のアンテナユニットを備えた電子機器が開示されている。受信専用アンテナ２２は、受信モード時に、各送受信用アンテナ２０，２１と共に、デュアルバンドの無線通信機能に適合するダイバーシティ方式のアンテナユニットを構成する。【選択図】　　図１
2004140458.tif 000002
【特許請求の範囲】
【請求項１】
異なる周波数帯域の無線通信機能を有する電子機器であって、
前記各周波数帯域のそれぞれに適合する２つの送受信用アンテナと、
前記各周波数帯域の受信用アンテナとして共用し、前記各送受信用アンテナと共にダイバーシティアンテナを構成する受信専用アンテナと、
前記各送受信用アンテナ及び前記受信専用アンテナのそれぞれと接続し、前記各周波数帯域の無線通信機能を実現する無線通信ユニットと
を具備したことを特徴とする電子機器。
【請求項２】
前記各送受信用アンテナは、相対的に高い周波数帯域に適合する第１の送受信用アンテナと、相対的に低い周波数帯域に適合する第２の送受信用アンテナとを含み、
前記受信専用アンテナは、前記第１及び第２の各送受信用アンテナのそれぞれと所定の距離を有するように配置されて、前記各周波数帯域に適合するダイバーシティアンテナを構成することを特徴とする請求項１に記載の電子機器。
【請求項３】
前記各送受信用アンテナは、波長λａの第１の周波数帯域に適合する第１の送受信用アンテナと、波長λｂの第２の周波数帯域に適合する第２の送受信用アンテナとを含み、
前記受信専用アンテナは、
前記第１の送受信用アンテナに対して、「（２ｎ＋１）＊λａ／４（但し、ｎ＝１，２，３，…）」の距離を離して配置されて、かつ
前記第２の送受信用アンテナに対して、「（２ｎ＋１）＊λｂ／４（但し、ｎ＝１，２，３，…）」の距離を離して配置されていることを特徴とする請求項１に記載の電子機器。
【請求項４】
前記無線通信ユニットは、前記受信専用アンテナで受信された電波信号を前記各周波数帯域のそれぞれの信号に分離するためのフィルタ回路を含むことを特徴とする請求項１に記載の電子機器。
【請求項５】
異なる周波数帯域の無線通信機能を有する電子機器であって、
電子機器本体に取り付けられて、表示パネルを保持する表示ユニットと、
前記表示ユニットの一部に設けられて、３つのアンテナを含むアンテナユニットと、
前記各アンテナと接続し、前記各周波数帯域の無線通信機能を実現する無線通信ユニットとを具備し、
前記アンテナユニットは、
前記第１及び第２の各周波数帯域のそれぞれに適合する２つの送受信用アンテナと、
前記各周波数帯域の受信用アンテナとして共用し、前記各送受信用アンテナのそれぞれと所定の距離を有するように配置されて、前記各周波数帯域に適合するダイバーシティアンテナを構成する受信専用アンテナとを有することを特徴とする電子機器。
【請求項６】
前記アンテナユニットは、前記表示パネルの反対側である前記表示ユニットの一部に設けられて、
前記各送受信用アンテナは、波長λａの第１の周波数帯域に適合する第１の送受信用アンテナと、波長λｂの第２の周波数帯域に適合する第２の送受信用アンテナとを含み、
前記受信専用アンテナは、
前記第１の送受信用アンテナに対して、「（２ｎ＋１）＊λａ／４（但し、ｎ＝１，２，３，…）」の距離を離して配置されて、かつ
前記第２の送受信用アンテナに対して、「（２ｎ＋１）＊λｂ／４（但し、ｎ＝１，２，３，…）」の距離を離して配置されていることを特徴とする請求項５に記載の電子機器。
【請求項７】
前記各送受信用アンテナは、波長λａの第１の周波数帯域に適合する第１の送受信用アンテナと、波長λｂの第２の周波数帯域に適合する第２の送受信用アンテナとを含み、
前記受信専用アンテナは、
前記第１の送受信用アンテナに対して、「（２ｎ＋１）＊λａ／４（但し、ｎ＝１，２，３，…）」の距離を離して配置されて、かつ、前記第２の送受信用アンテナに対して、「（２ｎ＋１）＊λｂ／４（但し、ｎ＝１，２，３，…）」の距離を離して配置された構成であり、
前記アンテナユニットは、空間ダイバーシティ効果又は偏波ダイバーシティ効果に適合するように前記表示ユニットの一部に設けられていることを特徴とする請求項５に記載の電子機器。
【請求項８】
前記無線通信ユニットは、前記受信専用アンテナで受信された電波信号を前記各周波数帯域のそれぞれの信号に分離するためのフィルタ回路を含むことを特徴とする請求項５に記載の電子機器。
【請求項９】
異なる周波数帯域の無線通信機能を実現するためのアンテナユニットであって、
第１の周波数帯域に適合する第１の送受信用アンテナと、
第２の周波数帯域に適合する第２の送受信用アンテナと、
前記第１及び第２の各周波数帯域の受信用アンテナとして共用し、前記第１及び第２の各送受信用アンテナのそれぞれと所定の距離を有するように配置されて、前記各周波数帯域に適合するダイバーシティアンテナを構成する受信専用アンテナと
を具備したことを特徴とするアンテナユニット。
【請求項１０】
前記第１の周波数帯域の波長をλａとし、第２の周波数帯域の波長をλｂとした場合に、
前記受信専用アンテナは、
前記第１の送受信用アンテナに対して、「（２ｎ＋１）＊λａ／４（但し、ｎ＝１，２，３，…）」の距離を離して配置されて、かつ
前記第２の送受信用アンテナに対して、「（２ｎ＋１）＊λｂ／４（但し、ｎ＝１，２，３，…）」の距離を離して配置されていることを特徴とする請求項９に記載のアンテナユニット。
【発明の詳細な説明】
【０００１】
【発明の属する技術分野】
本発明は、一般的には無線通信機能を備えた電子機器に関し、特に、異なる周波数帯域に適合するダイバーシティ方式のアンテナ技術に関する。
【０００２】
【従来の技術】
近年、例えば無線ＬＡＮ（Ｌｏｃａｌ　Ａｒｅａ　Ｎｅｔｗｏｒｋ）に適用する無線通信機能を備えた各種の電子機器が開発されている。具体的には、携帯型情報端末やパーソナルコンピュータ、或いはこれら以外のディジタル機器である。
【０００３】
このような電子機器では、空間ダイバーシティ（ｄｉｖｅｒｓｉｔｙ）効果及び偏波ダイバーシティ効果を得るために、所謂ダイバーシティ方式のアンテナ（ダイバーシティアンテナ）が注目されている（例えば、特許文献１を参照）。
【０００４】
更に、異なる無線通信方式の無線通信機能に対応するために、複数のアンテナを搭載した電子機器が開発されている（例えば、特許文献２を参照）。
【０００５】
【特許文献１】
特開２０００−１１４８４８号公報
【０００６】
【特許文献２】
特開２００２−７３２１０号公報
【０００７】
【発明が解決しようとする課題】
ところで、例えばＩＥＥＥ８０２．１１委員会が作成した規格に基づいて構築された無線ＬＡＮにおいて、同委員会の規格１１ａによる５ＧＨｚの周波数帯域の無線通信機能と、同規格１１ｂ（又は１１ｇ）による２．４ＧＨｚの周波数帯域の無線通信機能のいずれにも適合するデュアルバンドの電子機器が要求されている。
【０００８】
このようなデュアルバンドの電子機器では、通常では、受信モードでのダイバーシティ方式のアンテナ構成が採用される。即ち、５ＧＨｚの周波数帯域に適合する送受信アンテナ及びダイバーシティ構成の受信アンテナの２本、及び２．４ＧＨｚの周波数帯域に適合する同本のアンテナの計４本のアンテナ構成である。
【０００９】
しかしながら、例えばノート型パーソナルコンピュータや、携帯型情報端末のように小型の電子機器では、部品実装上の制約が厳しく、４本のアンテナを実装させることは困難である。
【００１０】
そこで、本発明の目的は、小型でかつ高性能の電子機器を提供することにある。
【００１１】
【課題を解決するための手段】
本発明の観点は、周波数帯域の異なる無線通信機能を有する電子機器において、各周波数帯域のそれぞれに適合する２つの送受信用アンテナと、１つの受信専用アンテナと有するダイバーシティ方式のアンテナユニットを備えた電子機器に関する。
【００１２】
本発明の観点に従った電子機器は、各周波数帯域のそれぞれに適合する２つの送受信用アンテナと、前記各周波数帯域の受信用アンテナとして共用し、前記各送受信用アンテナと共にダイバーシティアンテナを構成する受信専用アンテナと、前記各送受信用アンテナ及び前記受信専用アンテナのそれぞれと接続し、前記各周波数帯域の無線通信機能を実現する無線通信ユニットとを備えたものである。
【００１３】
このような構成により、従来の４本のアンテナ構成と比較して、アンテナ部材を削減できるため、特に部品実装スペースが制限されている小型の電子機器に対して有効である。
【００１４】
【発明の実施の形態】
以下図面を参照して、本発明の実施の形態を説明する。
【００１５】
図１は、本実施形態に関するダイバーシティ方式のアンテナユニットを備えた電子機器の要部を示すブロック図である。
【００１６】
（電子機器の構成）
本電子機器１は、例えばノート型パーソナルコンピュータや携帯型情報端末であり、２種の周波数帯域の無線ＬＡＮでの無線通信機能を実現する無線通信ユニットを内蔵している。
【００１７】
ここで、２種の周波数帯域の無線ＬＡＮとは、例えばＩＥＥＥ８０２．１１ａ規格に基づいた５ＧＨｚの周波数帯域（以下ＨＦと表記する場合がある）での無線ＬＡＮ、及び相対的に低周波数である例えばＩＥＥＥ８０２．１１ｂ規格に基づいた２．４ＧＨｚの周波数帯域（以下ＬＦと表記する場合がある）での無線ＬＡＮの仕様を意味する。但し、ＬＦの無線ＬＡＮとしては、例えばＩＥＥＥ８０２．１１ｇ規格に基づいた仕様でもよい。
【００１８】
無線通信ユニットは、大別して２．４ＧＨｚ帯のＲＦ（ｒａｄｉｏ　ｆｒｅｑｕｅｎｃｙ）回路と、５ＧＨｚ帯のＲＦ回路とを有し、例えば無線ＬＡＮ回路モジュール基板上に構成されている。２．４ＧＨｚ帯のＲＦ回路は、ＬＦ送信系回路１０とＬＦ受信系回路１１とを含む。また、５ＧＨｚ帯のＲＦ回路は、ＨＦ送信系回路１２とＨＦ受信系回路１３とを含む。
【００１９】
２．４ＧＨｚ帯のＲＦ回路は、送受信切換スイッチ回路１４及びダイバーシティ（ＤＩＶ）切換スイッチ回路１５を含む。また、５ＧＨｚ帯のＲＦ回路は、送受信切換スイッチ回路１６、ダイバーシティ（ＤＩＶ）切換スイッチ回路１７、及び高域通過フィルタ（ＨＰＦ）１８を含む。
【００２０】
一方、本電子機器１は、ＬＦ用送受信アンテナ２０と、ＨＦ用送受信アンテナ２１と、ＬＦとＨＦ共用のデュアルバンドアンテナで受信専用アンテナ２２とを有するアンテナユニットを備えている。このアンテナユニットは、後述するように、ＬＦとＨＦの各周波数帯域に適合するダイバーシティ方式のアンテナ構成を有する。即ち、受信モードにおいて、各周波数帯域に適合するダイバーシティ効果を得られるようなアンテナ構成である。
【００２１】
ＬＦ用送受信アンテナ２０は、同軸ケーブル２００を介して送受信切換スイッチ回路１４に接続されている。送受信切換スイッチ回路１４は、送信モード時にはＬＦ送信系回路１０からの送信信号をＬＦ用送受信アンテナ２０に転送する。また、送受信切換スイッチ回路１４は、受信モード時には、ＬＦ用送受信アンテナ２０で受信した信号を、ＤＩＶ切換スイッチ回路１５を介してＬＦ受信系回路１１に転送する。
【００２２】
ＨＦ用送受信アンテナ２１は、同軸ケーブル２２１を介して送受信切換スイッチ回路１６に接続されている。送受信切換スイッチ回路１６は、送信モード時にはＨＦ送信系回路１２からの送信信号をＨＦ用送受信アンテナ２１に転送する。また、送受信切換スイッチ回路１６は、受信モード時には、ＨＦ用送受信アンテナ２１で受信した信号を、ＤＩＶ切換スイッチ回路１７を介してＨＦ受信系回路１３に転送する。
【００２３】
一方、受信専用アンテナ２２は、同軸ケーブル２２２を介してＤＩＶ切換スイッチ回路１５に接続されている。また、受信専用アンテナ２２は、同軸ケーブル２２２を介して、ＨＰＦ１８に接続されている。このＨＰＦ１８は、ＤＩＶ切換スイッチ回路１７に接続されている。
【００２４】
ＤＩＶ切換スイッチ回路１５は、受信モード時に、ＬＦ用送受信アンテナ２０及び受信専用アンテナ２２の各受信電力を比較して、大きいレベルを示すアンテナ側（２０または２２）に切換える。また、ＤＩＶ切換スイッチ回路１７は、受信モード時に、ＨＦ用送受信アンテナ２１及び受信専用アンテナ２２の各受信電力を比較して、大きいレベルを示すアンテナ側（２１または２２）に切換える。
【００２５】
（アンテナ構成）
本アンテナユニットは、図１に示すように、受信専用アンテナ２２を中心として、所定の距離ＤＬ，ＤＨを有するように、ＬＦ用送受信アンテナ２０及びＨＦ用送受信アンテナ２１のそれぞれが配置されたアンテナ構成を有する。
【００２６】
ここで、２．４ＧＨｚであるＬＦ帯域の波長λｂとすると、ＬＦ用送受信アンテナ２０は、受信専用アンテナ２２から、「（２ｎ＋１）＊λｂ／４（但し、ｎ＝１，２，３，…）」の距離ＤＬだけ離れた位置に配置される。
【００２７】
また、５ＧＨｚであるＨＦ帯域の波長λａとすると、ＨＦ用送受信アンテナ２１は、受信専用アンテナ２２から、「（２ｎ＋１）＊λａ／４（但し、ｎ＝１，２，３，…）」の距離ＤＨだけ離れた位置に配置される。
【００２８】
このような３本のアンテナの配置関係により、受信モード時に、ＬＦ及びＨＦの各周波数帯域に適合し、有効なダイバーシティ効果を得ることができるアンテナ構成を実現することができる。
【００２９】
（同実施形態の作用効果）
例えばＬＦの無線ＬＡＮでの送信モード時には、送受信切換スイッチ回路１４により、ＬＦ送信系回路１０から出力されたＲＦ信号は、ＬＦ用送受信アンテナ２０から電波として送信される。また、ＨＦの無線ＬＡＮでの送信モード時には、送受信切換スイッチ回路１６により、ＨＦ送信系回路１２から出力されたＲＦ信号は、ＨＦ用送受信アンテナ２１から電波として送信される。
【００３０】
一方、ＬＦの無線ＬＡＮでの受信モード時には、送受信切換スイッチ回路１４により、ＬＦ用送受信アンテナ２０で受信したＲＦ信号が、ＤＩＶ切換スイッチ回路１５に転送される。このとき、当該ＲＦ信号は、受信専用アンテナ２２でも受信されて、ＤＩＶ切換スイッチ回路１５に転送される。ＤＩＶ切換スイッチ回路１５は、ＬＦ用送受信アンテナ２０及び受信専用アンテナ２２の各受信電力を比較して、大きいレベルを示すアンテナ側で受信されたＲＦ信号をＬＦ受信系回路１１に転送する。
【００３１】
また、ＨＦの無線ＬＡＮでの受信モード時には、送受信切換スイッチ回路１６により、ＨＦ用送受信アンテナ２１で受信したＲＦ信号が、ＤＩＶ切換スイッチ回路１７に転送される。このとき、当該ＲＦ信号は、受信専用アンテナ２２でも受信されて、ＤＩＶ切換スイッチ回路１７に転送される。
【００３２】
ここで、ＨＰＦ１８は、受信専用アンテナ２２で受信されたＲＦ信号から、ＨＦである５ＧＨｚ帯のＲＦ信号のみを抽出してＤＩＶ切換スイッチ回路１７に送出する。ＤＩＶ切換スイッチ回路１７は、ＨＦ用送受信アンテナ２１及び受信専用アンテナ２２の各受信電力を比較して、大きいレベルを示すアンテナ側で受信されたＲＦ信号をＨＦ受信系回路１３に転送する。
【００３３】
以上要するに本実施形態の電子機器であれば、ＬＦとＨＦの各周波数帯域に適合する２本の送受信アンテナ２０，２１と、各周波数帯域に適合して共用する１本の受信専用アンテナ２２の合計３本のアンテナ構成により、ダイバーシティアンテナを実現できる。換言すれば、ＬＦとＨＦの各周波数帯域に適合するデュアルバンドで、ダイバーシティ効果を得ることができる無線通信機能を実現できる。
【００３４】
通常では、４本のアンテナ構成を必要とするダイバーシティアンテナに対して、１本分のアンテナ部材を削減できるため、電子機器でのアンテナ実装スペースを節約できる。従って、特に小型のノート型パーソナルコンピュータや携帯型情報端末等の小型の電子機器では、部品実装スペースが制限されているため有効である。
【００３５】
なお、同実施形態の無線通信ユニットは、ＨＰＦ１８により、受信専用アンテナ２２からのＲＦ信号を分離する構成である。このため、特に複雑なＲＦスイッチ回路などを必要としないため、受信損失も少なく、かつ簡単な回路構成でデュアルバンドの無線通信機能を実現することができる。
【００３６】
（アンテナユニットの実装構造）
以下図４を参照して、電子機器１として例えばノート型パーソナルコンピュータ４０を想定した場合に、本実施形態のアンテナユニットの実装構造を説明する。
【００３７】
本コンピュータ４０は、外観としては、コンピュータ本体４１と、当該コンピュータ４１とヒンジ４２を介して、回動自在に取り付けられた表示装置４３とからなる。
【００３８】
コンピュータ本体４１は、ＣＰＵなどを実装したメイン回路基板やキーボード以外に、前述の無線通信ユニットを実装しているか回路基板６０を有する。当該回路基板６０には、例えば２．４ＧＨｚ帯のＲＦ回路群６１や、例えば５ＧＨｚ帯のＲＦ回路群（ＨＰＦ１８なども含む）６２が実装されている。
【００３９】
表示装置４３は、液晶表示パネル４４を保持している筐体からなる。表示装置４３は、図４に示すように、筐体の上部で、液晶表示パネル４４の背面側に、前述の２本の送受信アンテナ２０，２１及び１本の受信専用アンテナ２２を実装するアンテナ用基板４５，４６，４７を有する。これらのアンテナ用基板４５，４６，４７は、例えば片面がガラスエポキシ材からなる回路基板である。なお、各アンテナ２０〜２２は、液晶表示パネル４４の表示面側に突き出すように配置される。
【００４０】
さらに、各送受信アンテナ２０，２１は、液晶表示パネル４４の端部から例えば３ｍｍ以上離れた場所に配置されている。このような構造にすれば、表示装置４３の筐体の薄さを維持できる。また、液晶表示パネル４４の表示面側と背面側のいずれにも偏り無く、無指向性の放射特性を得ることができる。また、相対的に高い位置に各アンテナ２０〜２２を配置できるので、周囲の影響を受け難い送受信環境が得られる。
【００４１】
ここで、図１に示す場合と同様に、受信専用アンテナ２２は、各送受信アンテナ２０，２１に対して、液晶表示パネル４４の上部中央付近に配置される。そして、３本のアンテナの配置関係において、受信モード時に、ＬＦ及びＨＦの各周波数帯域に適合し、有効なダイバーシティ効果を得ることができるアンテナ構成を実現している。
【００４２】
即ち、２．４ＧＨｚであるＬＦ帯域の波長λｂとすると、ＬＦ用送受信アンテナ２０は、受信専用アンテナ２２から、「（２ｎ＋１）＊λｂ／４（但し、ｎ＝１，２，３，…）」の距離だけ離れた位置に配置される。ここで、ノート型パーソナルコンピュータ４０の場合には、具体的には、例えば「ｎ＝２」となる距離で、アンテナ間の干渉を低減するために２つのアンテナ同士を、できるだけ離した方が望ましい。具体的には、ＬＦ帯域の波長λｂから、図４に示すように、アンテナ２０，２２間を約１６０ｍｍ程度離して配置する。
【００４３】
一方、５ＧＨｚであるＨＦ帯域の波長λａとすると、ＨＦ用送受信アンテナ２１は、受信専用アンテナ２２から、「（２ｎ＋１）＊λａ／４（但し、ｎ＝１，２，３，…）」の距離だけ離れた位置に配置される。具体的には、例えば「ｎ＝３」となる距離で、ＨＦ帯域の波長λａから、図４に示すように、アンテナ２１，２２間を約１０５ｍｍ程度離して配置する。
【００４４】
さらに、３本の各アンテナ２０，２１，２２は、それぞれ同軸ケーブル５０，５１，５２を介して、コンピュータ本体４１に内蔵された無線通信ユニットの回路基板６０と接続される。この無線通信ユニットは、図１と同様の回路構成を備えている。
【００４５】
このようなアンテナ実装構造により、電子機器１として例えばノート型パーソナルコンピュータ４０を想定した場合には、表示装置４３の筐体において、特に上部の部分スペースを利用して、ダイバーシティ効果に有効なアンテナ構成を実現することができる。具体的には、アンテナ間の干渉やスプリアスの影響を低減化できる。また、液晶表示パネル４４の表示面側にアンテナが突出する構造により、表示装置４３の筐体の厚みを維持すると共に、表示面側も背面側にもバランスの良い放射特性を得ることができる。
【００４６】
（第１の変形例）
図２は、本実施形態の第１の変形例を示す図である。
【００４７】
本変形例の電子機器１では、受信専用アンテナ２２は、同軸ケーブル２２２を介して、無線通信ユニット内のバンドパスフィルタ（ＢＰＦ）１８０ａ，１８０ｂに接続されている。
【００４８】
ＢＰＦ１８０ａは、ＤＩＶ切換スイッチ回路１５に接続されて、受信専用アンテナ２２により受信された電波信号から、ＬＦ帯域に適合する周波数信号を抽出する。一方、ＢＰＦ１８０ｂは、ＤＩＶ切換スイッチ回路１７に接続されて、受信専用アンテナ２２により受信された電波信号から、ＨＦ帯域に適合する周波数信号を抽出する。
【００４９】
このような構成においても、本実施形態と同様に、ＬＦとＨＦの各周波数帯域に適合するダイバーシティ方式のアンテナ構成を実現することができる。なお、他の構成については、図１に示す本実施形態と同様のため説明を省略する。
【００５０】
（第２の変形例）
図３は、本実施形態の第２の変形例を示す図である。
【００５１】
本変形例の電子機器１では、受信専用アンテナ２２は、同軸ケーブル２２２を介して、ＤＩＶ切換スイッチ回路１７には直接に接続されている。また、受信専用アンテナ２２は、同軸ケーブル２２２を介して、ローパスフィルタ（ＬＰＦ）１８１に接続されている。ＬＰＦ１８１はＤＩＶ切換スイッチ回路１５に接続されて、受信専用アンテナ２２により受信された電波信号から、ＬＦ帯域に適合する周波数信号を抽出する。
【００５２】
このような構成においても、本実施形態と同様に、ＬＦとＨＦの各周波数帯域に適合するダイバーシティ方式のアンテナ構成を実現することができる。なお、他の構成については、図１に示す本実施形態と同様のため説明を省略する。
【００５３】
なお、無線通信ユニットの構成については、本実施形態及び各変形例の構成には限定されることなく、他の構成であってもよい。具体的には、受信専用アンテナ２２は、ＬＰＦ１８１を介してＤＩＶ切換スイッチ回路１５に接続されており、かつ、ＨＰＦ１８を介してＤＩＶ切換スイッチ回路１７に接続されている構成でもよい。また、ＲＦ回路群とＬＦ回路群とは、スイッチ回路を介して受信専用アンテナ２２に接続される構成でもよい。この場合、各ＤＩＶ切換スイッチ回路１５，１７は、それぞれの周数帯域に適合するフィルタ回路を有する構成でもよい。
【００５４】
【発明の効果】
以上詳述したように本発明によれば、アンテナの実装スペースを削減できるため、小型でかつ高性能の電子機器を提供することが可能となる。
【図面の簡単な説明】
【図１】本発明の実施形態に関する電子機器の要部を示すブロック図。
【図２】同実施形態の第１の変形例に関するブロック図。
【図３】同実施形態の第２の変形例に関するブロック図。
【図４】同実施形態に関する電子機器の具体例として、パーソナルコンピュータの外観を示す図。
【符号の説明】
１…電子機器
１０…ＬＦ（２．４ＧＨｚの周波数帯域）送信系回路
１１…ＬＦ受信系回路
１２…ＨＦ（５ＧＨｚの周波数帯域）送信系回路
１３…ＨＦ受信系回路
１４…送受信切換スイッチ回路
１５…ダイバーシティ（ＤＩＶ）切換スイッチ回路
１６…送受信切換スイッチ回路
１７…ダイバーシティ（ＤＩＶ）切換スイッチ回路
１８…高域通過フィルタ（ＨＰＦ）
２０…ＬＦ用送受信アンテナ
２１…ＨＦ用送受信アンテナ
２２…受信専用アンテナ
４０…パーソナルコンピュータ
４１…コンピュータ本体
４２…ヒンジ
４３…表示装置
４４…液晶表示パネル
６０…無線通信ユニット基板
５０〜５２…同軸ケーブル
１８０ａ，１８０ｂ…バンドパスフィルタ（ＢＰＦ）
１８１…ローパスフィルタ（ＬＰＦ）
２００，２２１，２２２…同軸ケーブル
【図１】
2004140458.tif 000003
【図２】
2004140458.tif 000004
【図３】
2004140458.tif 000005
【図４】
2004140458.tif 000006